(57)【要約】【課題】  インターフレームギャップを測定するイーサネット負荷試験器に関し、特にレイヤ２に属するスイッチ等に実装されるＩＥＥＥ８０２.３ｘフロー制御機能の一種であるポーズレスポンス時間を正確かつ容易に測定するイーサネット負荷試験器に関する。【解決手段】  メモリを備える被測定対象に繰返して試験フレームを送信する送信手段と、  前記メモリからループバックされた前記試験フレームを受信する受信手段と、  前記試験フレームを前記メモリに蓄積する時間を決定するポーズフレームを送信するポーズフレーム送信手段と  を備えるイーサネット負荷試験器において、  前記ポーズフレームにより拡大されたインターフレームギャップを測定するインターフレームギャップ測定手段を備える。  【選択図】                    図１
2006140761.tif 000002
【特許請求の範囲】
【請求項１】
メモリを備える被測定対象に繰り返して試験フレームを送信する送信手段と、
前記メモリからループバックされた前記試験フレームを受信する受信手段と、
前記試験フレームを前記メモリに蓄積する時間を決定するポーズフレームを送信するポーズフレーム送信手段と
を備えるイーサネット負荷試験器において、
前記ポーズフレームにより拡大されたインターフレームギャップを測定するインターフレームギャップ測定手段を備えることを特徴とするイーサネット負荷試験器。
【請求項２】
前記インターフレームギャップ測定手段は、前記受信手段が第１の試験フレームを受信した時刻から第２の試験フレームを受信した時刻までの時間を求め、この時間から前記第１又は第２の試験フレームの伝送時間を引くことにより前記インターフレームギャップを算出することを特徴とする請求項１記載のイーサネット負荷試験器。
【請求項３】
前記インターフレームギャップ測定手段は、前記送信手段で第１の試験フレームを送信した時刻から、前記受信手段で前記第１の試験フレームを受信する時刻を求めるカウンタを備え、
前記カウンタがカウントした時間から前記第１又の試験フレームの伝送時間を引くことにより前記インターフレームギャップを算出することを特徴とする請求項１記載のイーサネット負荷試験器。
【請求項４】
前記第１及び第２の試験フレームの送信時刻を前記試験フレームに付加し、前記受信手段でこれらの時刻を読み取ってΔ時間（第１の試験フレームが到着した時刻から第２の試験フレームが到着するまでの時刻）を算出し、このΔ時間から記第１の試験フレームの伝送時間を引くことにより前記インターフレームギャップを算出することを特徴とする請求項１記載のイーサネット負荷試験器。
【請求項５】
前記送信手段がポーズフレームを送信したときから前記受信手段が前記試験フレームの受信を開始することを特徴とする請求項１から４のいずれかに記載のイーサネット負荷試験器。
【発明の詳細な説明】
【技術分野】
【０００１】
本発明は、インターフレームギャップ（以下「ＩＦＧ」ともいう。）を測定するイーサネット（登録商標）負荷試験器に関し、特にレイヤ２に属するスイッチ等に実装されるＩＥＥＥ８０２.３ｘフロー制御機能の一種であるポーズレスポンス時間を正確かつ容易に測定するイーサネット負荷試験器に関する。
【背景技術】
【０００２】
一般に、イーサネットを搭載したネットワーク機器 (メディアコンバータ、ＬＡＮスイッチ、ルータ、伝送装置)の開発、製造時の性能評価や、ＩＰネットワーク構築時のネットワークパフォーマンス検証に有効なスループットの測定、遅延時間の測定には、イーサネット負荷試験器と呼ばれる測定装置が必要とされる。
【０００３】
また、この様なイーサネット負荷試験器の機能の一つにポーズレスポンス時間測定がある。ポーズレスポンス時間測定とは、イーサネット負荷試験器からネットワーク機器に対して設定時間試験フレームを出力しない旨の命令（以下、ポーズフレームともいう。）を出力し、この命令を受けたネットワーク機器が命令どおりに動作するか試験するものである。この様なインターフレームギャップを測定する技術としては特許文献１のようなものがある。
【０００４】
【特許文献１】特開２００４−１２０５０４号公報
【０００５】
以下、イーサネット負荷試験器の接続例である図３を用いて、イーサネット負荷試験器の使用方法について説明する。イーサネット負荷試験器１は、ポーズレスポンスを測定する機器である。被測定対象２００は、スイッチ等のネットワーク機器であり、図示しないバッファ（メモリ）を備え、ＬＡＮケーブルなどの通信回線を介してイーサネット負荷試験器１に接続されている。イーサネット負荷試験器１のポートａは被測定対象２００のポートｎに接続され、ポートｂはポートｍに接続されている。
【０００６】
次に、図３のイーサネット負荷試験器１の構成を図４を用いて詳細に説明する。イーサネット負荷試験器１は、制御部２、送信用ＣＰＵ／ＩＦ３、送信フレーム制御部４、送信フレーム生成部５、送信フレームパターン用メモリ６、物理層デバイス７、受信フレーム終端部８、受信フレーム統計部９、受信用ＣＰＵ／ＩＦ１０ａ、キャプチャメモリ１１、キャプチャ制御部１２を備える。また、図４は図３のポートａ側のブロック図であるが、図３のポートａ、ｂ、・・・ごとに図４の構成が存在するので、図４と同様な構成が図３のポートｂ側にも存在するが、説明を省略する。
【０００７】
制御部２はイーサネット負荷試験器１全体を制御する。送信用ＣＰＵ／ＩＦ３は、制御部２と送信フレーム制御部４のインターフェースであり、制御部２から出力される命令を送信フレーム制御部４に伝送する。送信フレーム制御部４は、制御部２の命令に基づいて送信フレーム生成部５に対して、送信フレームパターン用メモリ６に記憶された試験フレームやポーズフレームのうち送信すべきフレームを選択する。
【０００８】
送信フレーム生成部５は、送信フレームパターン用メモリ６に記憶されている種々のフレームを読み出して、このフレームに所定の情報を付加して物理層デバイス７を介して被測定対象２００に送信する。ここで所定の情報には、例えば試験フレームの送信時刻等が含まれる。送信フレームパターン用メモリ６には、試験フレームやポーズフレームなどが記憶されている。
【０００９】
物理層デバイス７は試験フレームを物理層レベルで終端する。また、ポートａは図３のポートａに対応しており、このポートａから図３の被測定対象２００のポートｎに試験フレームが出力される。一方、ポートｘも図３のポートａに対応するが、こちらは図３の被測定対象２００のポートｎから出力された試験フレームが入力されるポートである。また、図３のポートｂに対応する図４のポートｂから被測定対象２００のポートｍに試験フレームが出力され、図４の受信用のポートｙに被測定対象２００のポートｍから試験信号が入力されるが、上述の様に構成が同様なので図示を省略する。
【００１０】
受信フレーム終端部８は物理層デバイス７を介して入力された試験フレームの正常・異常（エラーフレーム）を検出する。受信フレーム統計部９は、制御部２でフレームの正常・異常を判別するために、受信フレーム終端部８から入力される試験フレームの正常フレーム数、異常フレーム数（エラーフレーム数）を積算等して、受信用ＣＰＵ／ＩＦ１０ａに出力する。
【００１１】
受信用ＣＰＵ／ＩＦ１０ａは、受信フレーム統計部９が算出した統計結果を制御部２に通知する。キャプチャメモリ１１は受信フレーム終端部８を介して入力された試験フレームをキャプチャして記憶し、キャプチャ制御部１２の命令に基づいて試験フレームを受信用ＣＰＵ／ＩＦ１０ａを介して制御部２に出力する。キャプチャ制御部１２はキャプチャメモリ１１のキャプチャ動作を制御する。
【００１２】
次に、図３の動作を「試験フレームの送信動作」、「ポーズフレーム送信動作」、「試験フレーム受信動作」に分けて図４を参照して説明する。
【００１３】
まず「試験フレーム送信動作」について説明する。イーサネット負荷試験器１は、ポートａから繰返して試験フレームを出力する。ここで試験フレームは例えば、図５（ア）の様に送信レート１００％（すなわちインターフレームギャップ：１２バイト、速度１００Ｍｂｐｓの場合９６０ｎｓに相当）からなる。
【００１４】
制御部２に接続される図示しない制御端末ＰＣから試験フレームの送信レートを１００％とする命令が入力され、この命令が制御部２、送信用ＣＰＵ／ＩＦ３、送信フレーム制御部４を介して送信フレーム生成部５に出力される。送信フレーム生成部５は送信フレームパターン用メモリ６に記憶された試験フレームの中から制御端末ＰＣによって入力された試験フレームを選択して物理層デバイス７のポートａから送信レート１００％の試験フレームを出力する。この試験フレームは図５（ア）の様に表わされ、インターフレームギャップの間隔（例えば１２バイト）を保ちながら繰返して送信される。
【００１５】
この試験フレームは、図３の被測定対象２００のポートｎに入力され、内部バッファに蓄積される。そしてある時間経過後に、試験フレームはポートｍから出力され、イーサネット負荷試験器１のポートｂに入力される。以下、被測定対象２００はイーサネット負荷試験器からポーズフレームを受信することにより試験フレームの出力を停止するが、そのポーズ時間の設定を行う「ポーズフレームの送信動作」を図４を参照して説明する。
【００１６】
なお、「ポーズフレーム送信動作」に使用されるポーズフレームには、ポーズタイム(停止時間)を指定できるフィールドが２バイトあり、イーサネット負荷試験器では、このポーズタイムを最小０スロットタイム（ポーズ解除）から最大６５５３５スロットタイム(停止時間、３３５．５ｍｓに相当）の範囲で任意に設定することができる。
【００１７】
ポーズ時間の設定は、図３のポートｂからポーズフレームが被測定対象２００のポートｍに入力されることにより行なわれる。まず、図４の制御部２に対応する図示しない制御部に制御端末ＰＣからポーズフレームの設定時間を例えば３３５.５ｍｓとする命令が入力される。この様子を示したのが図５の（イ）であり、繰り返して送信される試験フレーム間のインターフレームギャップを維持しつつ、ここではパターンｃとパターンｄの間にポーズフレームを送信する。
【００１８】
そして、この命令が送信用ＣＰＵ／ＩＦ３、送信フレーム制御部４に対応する図示しないＣＰＵ／ＩＦ、送信フレーム制御部を介して送信フレーム生成部（図示せず）に出力される。送信フレーム生成部は送信フレームパターン用メモリ（図示せず）に記憶されたポーズフレームの中から制御端末ＰＣによって入力されたポースフレームを選択して物理層デバイスのポートｂから設定時間が３３５.５ｍｓのポーズフレームを出力する。この様にしてポーズフレームの送信動作が終了する。
【００１９】
次に、図３の「試験フレームの受信動作」を図４を参照して説明する。被測定対象２００のポートｍから出力された試験フレームは、上述のポーズフレームを受信すると試験フレームの転送を停止する。被測定対象２００はポーズ時間（３３５.５ｍｓ）を経過すると、ポートｍからポートｂ（すなわち、図４ではポートｘに対応するポートｙ）に出力される。以下、このポートｂに入力される試験フレームの「受信動作」を図４を参照して説明する。ただし、ポートｙに対応する受信系統は図示していないので、ここでは同様の構成から成るポートｘを含む受信系統のブロック図（符号７、８、９、１０、１１、１２）に置き換えて説明する。
【００２０】
試験フレームは物理層７のポートｘを介して受信フレーム終端部８に入力される。この試験フレームは、受信フレーム終端部８で正常・異常（エラーフレーム）が検出され、受信フレーム統計部９に出力され、受信フレーム統計部９で正常フレーム数、異常フレーム数（エラーフレーム数）が積算等される。
【００２１】
一方、受信フレーム終端部８から分岐した試験フレームは、キャプチャ制御部１２の制御によりキャプチャメモリ１１でキャプチャされ、受信用ＣＰＵ／ＩＦ１０ａを介して制御部２に出力される。
【００２２】
そして、キャプチャされた情報は、制御部２に接続された図示しない制御端末ＰＣの表示部により表示され、操作者は目視によりインターフレームギャップを確認する。図５（ウ）では、パターン３とパターン４の間のインターフレームギャップが「ポーズフレーム送信動作」により拡大されているので、繰り返して受信される試験フレームのインターフレームギャップ（９６０ｎｓ）にポーズフレームによる設定時間（３３５.５ｍｓ）を加算した値から試験フレームのフレーム長を引いた値（時間）について操作者は制御端末ＰＣの表示部で確認することになる。
【発明の開示】
【発明が解決しようとする課題】
【００２３】
理論上キャプチャメモリ１１の容量が大きければ試験フレームを多数キャプチャすることができるので、全ての試験フレームをキャプチャし、試験フレームのΔ（デルタ）時間（第１の試験フレームが到着した時刻から第２の試験フレームが到着するまでの時刻）から、試験フレーム長の時間を差し引いたインターフレームギャップを測定することはできる。
【００２４】
しかし、キャプチャメモリ１１は、ハードウェアの制約等で容量が小さい場合がある。したがって、キャプチャメモリ１１の容量を超えてしまうことにより、ポーズフレームにより拡大されている所望のインターフレームギャップを測定できない場合がある。
【００２５】
特に、被測定対象２００の性能を高精度に測定し得る送信レート１００％（ＩＦＧ：１２バイト）からなる試験フレームを選択し測定した場合には、所定の時間に転送される試験フレームの数が多くなるため、キャプチャメモリ１１の容量が足りなくなって測定できなくなる場合が多い。
【００２６】
具体的には、通信速度１００Ｍ、試験フレーム長６４バイト、送信レート１００％の試験フレームでは、１秒間に１４８，８０９フレームの試験フレームが送信されるが、キャプチャメモリ１１でキャプチャし得る試験フレーム数はこれに対して十分小さく、全ての試験フレームをキャプチャしたのではメモリ１１の容量が足りなくなる。
【００２７】
また、キャプチャメモリ１１でキャプチャされた結果は図示しない制御端末ＰＣの表示部等により確認できるが、この中からポーズフレームによりインターフレームギャップが広がった試験フレームを検索するには目視により行なう必要があり、多数の試験フレームの情報を解析しなければならず作業効率が悪いという問題点がある。
【００２８】
さらに、ポーズフレームにはポーズタイム（停止時間）を指定できるフィールドが２バイトあるため、ポーズタイム（ポーズフレームにより試験フレームを被測定対象２００のバッファに停止させる時間をいう。）を最小値である０ストットタイム（データを送るための時間間隔をいう。）から最大値である６５５３５スロットタイム（時間に換算すると３３５．５ｍｓ）まで任意に設定することが可能であるが、送信レートが１０ｍｓ以下の場合には、ポーズレスポンス時間を測定することができない場合がある。
【００２９】
すなわち、例えば被測定対象２００のポートｍにおいて１０ｍｓのポーズレスポンス時間を測定したい場合には、イーサネット負荷試験のポートａの送信フレームには、送信レート１００％（ＩＦＧ：１２バイト）の試験フレームを設定し、ポートｂの送信フレームにはポーズフレームを設定する必要があるが、ポーズフレームの送信レートが１０ｍｓ以下とした場合は、ポーズタイムが終了する前に新たなポーズフレームを送信してしまうため、被測定対象２００としては、フロー制御が解除できない状態となり、ポーズレスポンス時間を測定することができない。
【００３０】
したがって、１０ｍｓのポーズレスポンス時間を測定した場合は、図３のポートｂから送信する送信レートは１０ｍｓ以上とする必要があり、ポーズタイムを考慮した測定方法や測定器の設定が必要とされ、操作が煩雑である。
【００３１】
本発明は、インターフレームギャップを測定するイーサネット負荷試験器に関し、特にレイヤ２に属するスイッチ等に実装されるＩＥＥＥ８０２.３ｘフロー制御機能の一種であるポーズレスポンス時間を正確かつ容易に測定するイーサネット負荷試験器を提供することを目的とする。
【課題を解決するための手段】
【００３２】
このような課題を達成するために、請求項１記載の発明は、
メモリを備える被測定対象に繰返して試験フレームを送信する送信手段と、
前記メモリからループバックされた前記試験フレームを受信する受信手段と、
前記試験フレームを前記メモリに蓄積する時間を決定するポーズフレームを送信するポーズフレーム送信手段と
を備えるイーサネット負荷試験器において、
前記ポーズフレームにより拡大されたインターフレームギャップを測定するインターフレームギャップ測定手段を備える。
【００３３】
また、請求項２記載の発明は、請求項１記載の発明において、
前記インターフレームギャップ測定手段は、前記受信手段が第１の試験フレームを受信した時刻から第２の試験フレームを受信した時刻までの時間を求め、この時間から前記第１又は第２の試験フレームの伝送時間を引くことにより前記インターフレームギャップを算出する。
【００３４】
また、請求項３記載の発明は、請求項１記載の発明において、
前記インターフレームギャップ測定手段は、前記送信手段で第１の試験フレームを送信した時刻から、前記受信手段で前記第１の試験フレームを受信する時刻を求めるカウンタを備え、
前記カウンタがカウントした時間から前記第１又の試験フレームの伝送時間を引くことにより前記インターフレームギャップを算出する。
【００３５】
また、請求項４記載の発明は、請求項１記載の発明において、
前記第１及び第２の試験フレームの送信時刻を前記試験フレームに付加し、前記受信手段でこれらの時刻を読み取ってΔ時間を算出し、このΔ時間から記第１の試験フレームの伝送時間を引くことにより前記インターフレームギャップを算出する。
【００３６】
さらに、請求項５記載の発明は、請求項１から４のいずれかに記載の発明において、
前記送信手段がポーズフレームを送信したときから前記受信手段が前記試験フレームの受信を開始する。
【発明の効果】
【００３７】
本発明では、次のような効果がある。インターフレームギャップを測定するＩＦＧ測定部を設けたので、正確かつ容易にインターフレームギャップを測定することができる。すなわち、ＩＦＧ測定部のタイマー機能、フレーム識別機能を活用することにより、正確かつ容易にインターフレームギャップを測定することができる。
【００３８】
ＩＦＧ測定部のタイマー機能を活用して所定の時間を経過してからインターフレームギャップを測定するので、ポーズレスポンスの測定に不要なインターフレームギャップを取得することなく、所望のインターフレームギャップを簡単な操作で正確に測定することができる。さらに、ポーズフレーム送信から受信までの時間が概ね計算できるＡＲＰリプライフレームに対するＡＲＰリクエストフレームの応答時間や、ＰＩＮＧリプライフレームに対するＰＩＮＧリクエストフレームの応答時間についても同様に簡単な操作で正確に測定することができる。
【発明を実施するための最良の形態】
【００３９】
以下、図面を用いて本発明の実施形態を説明する。本発明のイーサネット負荷試験器の接続例は図３と同様なので説明を省略する。本発明のイーサネット負荷試験器の構成例を図１を参照して説明するが、従来技術のブロック図である図４と同様な構成は同じ番号を付して説明を省略する。
【００４０】
図１において、イーサネット負荷試験器１００は、制御部２、送信用ＣＰＵ／ＩＦ３、送信フレーム制御部４、送信フレーム生成部５、送信フレームパターン用メモリ６、物理層デバイス７、受信フレーム終端部８０、受信フレーム統計部９、受信用ＣＰＵ／ＩＦ１０を備える。すなわち、従来技術のブロック図である図４の受信フレーム終端部８の替わりに受信フレーム終端部８０が設けられ、キャプチャメモリ１１、キャプチャ制御部１２が不要とされる構成である。
【００４１】
受信用ＣＰＵ／ＩＦ１０は受信フレーム統計部９から入力された信号を制御部２に出力する。受信フレーム終端部８０には、ＩＦＧ測定部８１が備えられている。受信フレーム終端部８０は物理層デバイス７を介して入力されたフレームの正常・異常（エラーフレーム）を検出する。ＩＦＧ測定部８１はインターフレームギャップを測定するため、タイマー機能の他、試験フレームに含まれる所定の情報を識別する機能（「フレーム識別機能」ともいう。）を有する。
【００４２】
ＩＦＧ測定部８１で測定されたインターフレームギャップは、受信フレーム統計部９、受信用ＣＰＵ／ＩＦ１０を介して制御部２に接続された図示しない制御端末ＰＣの表示部に表示され、インターフレームギャップの測定は以下の様に行なわれる。
【００４３】
次に、図１の動作を説明するが、従来技術で説明した「試験フレーム送信動作」、「ポーズフレーム送信動作」、「受信動作」のうち、「試験フレーム送信動作」及び「ポーズフレーム送信動作」については従来技術と同様なので説明を省略し「受信動作」についてのみ説明する。
【００４４】
第１の方法として、ＩＦＧ測定部８１が第１の試験フレームを受信した時刻から第２の試験フレームを受信した時刻までの時間を求め、この時間から第１の試験フレームの伝送時間を引くことにより、インターフレームギャップを算出する。
【００４５】
具体的には、例えば図５（ウ）のパターン３の試験フレームとパターン４の試験フレームを受信した時刻をタイマー機能により求め、これらの試験フレームから算出された時間差Δが３３５.５ｍｓ＋９６０ｎｓであるとする。そして、第１の試験フレームのフレーム長６４バイトとした場合、時間に換算して５．７６μｓである場合には、パターン３とパターン４の間のインターフレームギャップは３３５．４９４ｍｓであると算出される。
【００４６】
また第２の方法としてはＩＦＧ測定部８１の機能であるタイマー機能を活用し、制御部２が送信フレーム生成部５に試験フレームを出力した時刻からカウントを開始し、ＩＦＧ測定部８１がこの試験フレームを受信したらカウントを停止し、この間のカウント値（時間）から試験フレームのフレーム長を引いた値（時間）をインターフレームギャップと算出する。
【００４７】
第２の方法としては試験フレームに付加された所定の情報を識別する機能を活用し、「送信動作」において送信フレーム生成部５で第１、第２試験フレームに試験フレームの送信時刻を付加し、ＩＦＧ測定部８１でこれらの試験フレームを受信して、付加情報からΔ時間を求め、このΔ時間から試験フレームのフレーム長を引いた値（時間）をインターフレームギャップと算出する。
【００４８】
このように、インターフレームギャップを測定するＩＦＧ測定部８１を設けたので、正確かつ容易にインターフレームギャップを測定することができる。すなわち、ＩＦＧ測定部のタイマー機能、フレーム識別機能を活用することにより、正確かつ容易にインターフレームギャップを測定することができる。
【００４９】
次に、本発明の第２の実施例を図２を参照して説明する。ただし、従来例のブロック図である図４又は第１の実施例のブロック図である図１と同様な構成は同じ番号を付して説明を省略する。イーサネット負荷試験器１１０は、制御部２、送信用ＣＰＵ／ＩＦ３、送信フレーム制御部４ａ、送信フレーム生成部５、送信フレームパターン用メモリ６、物理層デバイス７、受信フレーム終端部８０、受信フレーム統計部９、受信用ＣＰＵ／ＩＦ１０、キャプチャメモリ１１、キャプチャ制御部１２ａを備える。
【００５０】
送信フレーム制御部４ａは、送信フレームパターン用メモリ６に記憶されたポーズフレームを出力する命令を送信フレーム制御部５に出力すると同時に、インサートフレーム情報をキャプチャ制御部１２ａに出力する。キャプチャ制御部１２ａはキャプチャメモリ１１のキャプチャ動作を制御する他、送信フレーム制御部４ａからインサートフレーム情報が入力される。また、キャプチャ制御部１２ａは送信フレーム制御部４ａから入力されるインサートフレーム情報に基づいてＩＦＧ測定部８２に制御信号を出力する。ここで、ＩＦＧ測定部８２はこの制御信号に基づいて動作する点以外は、ＩＦＧ測定部８１と同様の機能を有する。
【００５１】
この様な構成において、例えば上述したキャプチャ機能を用いると、インサートフレーム情報をトリガとしてキャプチャ制御した場合にも同様にインターフレームギャップの測定をすることができる。すなわち、図２において送信フレーム制御部４ａよりインサートフレーム情報がキャプチャ制御部１２ａに出力されると、キャプチャ制御部１２ａは試験フレームをキャプチャするタイミング信号をキャプチャメモリ１１に出力し、キャプチャ動作を開始する。このように、インサートフレームとして送信フレームパターン用メモリ６にポーズフレームを設定しておけば、キャプチャ機能を用いてインターフレームギャップを測定することが可能である。
【００５２】
また、近年広域イーサネット網などのネットワークが構築されバックボーンではネットワークの経路が冗長化されている。この様な事情により、例えばネットワーク機器による障害によりネットワークの経路切り替えが発生した場合には、インターフレームギャップを測定することにより、切り替え時間の測定等に利用することができる。
【００５３】
すなわち、例えば図２においてキャプチャのトリガ条件としてＩＦＧ時間を設定した場合、ＩＦＧ測定部８２が設定した時間以上のＩＦＧ時間を検出されたら、ＩＦＧ測定部８２は、制御信号をキャプチャ制御部１２ａに出力するとともに、キャプチャメモリ１１にタイミング信号を出力してキャプチャ動作の開始・停止を制御する。
【００５４】
このように、ＩＦＧ測定部８２のタイマー機能を活用して所定の時間を経過してからインターフレームギャップを測定するので、例えば図７（ウ）のパターン１とパターン２の間のインターフレームギャップの様にポーズレスポンスの測定に不要なインターフレームギャップを取得することなく、所望のインターフレームギャップを簡単な操作で正確に測定することができる。
【００５５】
さらに、この様な効果から、ポーズフレーム送信から受信までの時間が概ね計算できるＡＲＰリプライフレームに対するＡＲＰリクエストフレームの応答時間や、ＰＩＮＧリプライフレームに対するＰＩＮＧリクエストフレームの応答時間についても同様に簡単な操作で正確に測定することができる。
【図面の簡単な説明】
【００５６】
【図１】本発明によるイーサネット負荷試験器のブロック図である
【図２】本発明の第２の実施例を示したブロック図である。
【図３】イーサネット負荷試験器と被測定対象２００の接続図である。
【図４】従来のイーサネット負荷試験器のブロック図である。
【図５】試験フレーム及びポーズフレームの送信タイミング例である。
【符号の説明】
【００５７】
２          制御部
３          送信用ＣＰＵ／ＩＦ
５          送信フレーム生成部
６          送信フレームパターン用メモリ
８０        受信フレーム終端部
８１        ＩＦＧ測定部
８２        ＩＦＧ測定部
１００      イーサネット負荷試験器
１１０      イーサネット負荷試験器
【図１】
2006140761.tif 000003
【図２】
2006140761.tif 000004
【図３】
2006140761.tif 000005
【図４】
2006140761.tif 000006
【図５】
2006140761.tif 000007